(57)【要約】  天井埋込形空気調和機は、天板と複数の側板とを有する筐体と、筐体に収容されたファン及び熱交換器と、を備え、筐体には、互いに隣接する２つの側板の端部同士が重ねられた重ね部が形成されており、一方の側板には、重ね部における一方の側板の端部が他方の側板の板厚寸法分だけ筐体の内周側にずれるように段曲げされた段曲げ部が形成されており、天板は、天面部と、天面部の周縁に形成され複数の側板の内周側に嵌め込まれる周縁壁と、を有しており、周縁壁のうち重ね部及び段曲げ部の内周側に位置する部分には、筐体の内周側に凹んだ凹部が形成されている。
2017179141.tif 000002
【特許請求の範囲】
【請求項１】
天板と複数の側板とを有する筐体と、
前記筐体に収容されたファン及び熱交換器と、を備え、
前記筐体には、前記複数の側板のうち互いに隣接する２つの側板の端部同士が重ねられた重ね部が形成されており、
前記２つの側板のうちの一方の側板には、前記重ね部における前記一方の側板の端部が前記２つの側板のうちの他方の側板の板厚寸法分だけ前記筐体の内周側にずれるように段曲げされた段曲げ部が形成されており、
前記天板は、天面部と、前記天面部の周縁に形成され前記複数の側板の内周側に嵌め込まれる周縁壁と、を有しており、
前記周縁壁のうち前記重ね部及び前記段曲げ部の内周側に位置する部分には、前記筐体の内周側に凹んだ凹部が形成されている天井埋込形空気調和機。
【請求項２】
前記凹部の深さ寸法は、前記他方の側板の板厚寸法以上である請求項１に記載の天井埋込形空気調和機。
【請求項３】
前記一方の側板の外側表面と前記他方の側板の外側表面とは、同一平面上に配置されている請求項１又は請求項２に記載の天井埋込形空気調和機。
【請求項４】
前記複数の側板の外周側に設けられた断熱材をさらに備え、
前記断熱材は、少なくとも前記一方の側板の外周側及び前記他方の側板の外周側に跨がって平坦な形状となるように設けられている請求項１〜請求項３のいずれか一項に記載の天井埋込形空気調和機。
【発明の詳細な説明】
【技術分野】
【０００１】
本発明は、天板と複数の側板とを備えた筐体を有する天井埋込形空気調和機に関するものである。
【背景技術】
【０００２】
特許文献１には、一端にＬ字状の折曲部を有する第一側板と、折曲部に取り付けられる第二側板とを組み合わせてなる空気調和機のケーシングが記載されている。この空気調和機のケーシングでは、第一側板の角部からずらした位置の折曲部の外側に、第二側板の先端が当接して取り付けられる。第一側板の外側には、第二側板との当接部を除き、第一外側断熱材が貼付されている。第二側板の外側には、第二側板の先端部まで第二外側断熱材が貼付されている。第一側板における第二側板との当接部には、第二側板の板厚に相当する段部が形成されている。これにより、第一外側断熱材と第二外側断熱材との合わせ目に段差が生じないようになっている。
【先行技術文献】
【特許文献】
【０００３】
【特許文献１】特開平１１−１４８６７１号公報
【発明の概要】
【発明が解決しようとする課題】
【０００４】
一般に、天井埋込形空気調和機の筐体は、天板と複数の側板とを備えている。天板は、天面部と、絞り加工によって天面部の周縁に形成された周縁壁と、を有している。複数の側板は、互いに組み合わされて多角筒体を構成する。天板の周縁壁の一部は、多角筒体の内周側に嵌め込まれる。【０００５】
特許文献１に記載の構成では、側板同士が重ねられた重ね部の内周側には凸状の段差が形成される。このため、多角筒体の内周側に天板の周縁壁が嵌め込まれると、周縁壁によって重ね部が外周側に押し出される。したがって、重ね部において第二側板及び第一側板が外周側に膨らんでしまうという課題があった。【０００６】
本発明は、上述のような課題を解決するためになされたものであり、筐体の側板同士が重ねられた重ね部において側板が外周側に膨らむのを防止できる天井埋込形空気調和機を提供することを目的とする。
【課題を解決するための手段】
【０００７】
本発明に係る天井埋込形空気調和機は、天板と複数の側板とを有する筐体と、前記筐体に収容されたファン及び熱交換器と、を備え、前記筐体には、前記複数の側板のうち互いに隣接する２つの側板の端部同士が重ねられた重ね部が形成されており、前記２つの側板のうちの一方の側板には、前記重ね部における前記一方の側板の端部が前記２つの側板のうちの他方の側板の板厚寸法分だけ前記筐体の内周側にずれるように段曲げされた段曲げ部が形成されており、前記天板は、天面部と、前記天面部の周縁に形成され前記複数の側板の内周側に嵌め込まれる周縁壁と、を有しており、前記周縁壁のうち前記重ね部及び前記段曲げ部の内周側に位置する部分には、前記筐体の内周側に凹んだ凹部が形成されているものである。
【発明の効果】
【０００８】
本発明によれば、周縁壁には、重ね部及び段曲げ部の位置に対応して凹部が形成される。このため、側板の内周側に周縁壁が嵌め込まれた際には、重ね部及び段曲げ部において側板の内周側に形成される凸部を凹部内に収容することができる。したがって、筐体の側板同士が重ねられた重ね部において側板が外周側に膨らむのを防止できる。
【図面の簡単な説明】
【０００９】
【図１】本発明の実施の形態１に係る天井埋込形空気調和機１の構成を示す底面図である。
【図２】図１のＡ部を外側から見たときの筐体２０の構成を示す斜視図である。
【図３】本発明の実施の形態１の比較例として、段曲げ部３３が設けられていない筐体２０の構成を示す斜視図である。
【図４】図１のＡ部を内側から見たときの筐体２０の構成を示す斜視図である。
【図５】本発明の実施の形態１に係る天井埋込形空気調和機１において、側板３０、４０及び周縁壁５２の形状及びそれぞれの位置関係を示す断面図である。
【発明を実施するための形態】
【００１０】
実施の形態１．
本発明の実施の形態１に係る天井埋込形空気調和機について説明する。本実施の形態では、天井埋込形空気調和機の一例として、４方向吹出型の天井カセット形室内機を例示している。図１は、本実施の形態に係る天井埋込形空気調和機１の構成を示す底面図である。図１に示すように、天井埋込形空気調和機１は、ターボファン１０と、ターボファン１０を駆動するファンモータ１１と、ターボファン１０の風下側に配置された熱交換器１２と、ターボファン１０、ファンモータ１１及び熱交換器１２を収容する筐体２０と、を備えている。
【００１１】
筐体２０は、天井埋込形空気調和機１の側面に配置される複数の側板と、天井埋込形空気調和機１の天面に配置される天板と、を備えている。図２、図４及び図５を用いて後述するように、本例の筐体２０は、２つの側板３０、４０と１つの天板５０とを備えている。２つの側板３０、４０は、それぞれ概ねＬ字状、Ｊ字状又はＵ字状等の断面形状を有している。２つの側板３０、４０は、互いに組み合わされることによって多角筒体を構成する。天板５０は、当該多角筒体の上端の開口部に取り付けられている。側板３０、４０及び天板５０は、いずれも板金により形成されている。
【００１２】
図１に戻り、ターボファン１０及びファンモータ１１は、筐体２０の天板５０に取り付けられている。熱交換器１２は、ターボファン１０の周囲を囲むように平面視で四角形状に折り曲げられた形状を有している。熱交換器１２は、不図示の圧縮機、室外熱交換器及び膨張弁と共に、冷凍サイクルを構成する。例えば、圧縮機及び室外熱交換器は不図示の室外機に収容されており、膨張弁は筐体２０内に収容されている。熱交換器１２では、内部を流通する冷媒と、ターボファン１０により供給される空気と、の熱交換が行われる。
【００１３】
また、天井埋込形空気調和機１には、ドレンポンプ１３、ドレン排水口１４、冷媒配管１５、及び運転制御用の電装品が収容される電装品箱１６が設けられている。天井埋込形空気調和機１の底面部のうちターボファン１０の下方には、室内の空気を吸い込む吸込口が形成されている。天井埋込形空気調和機１の底面部のうち熱交換器１２よりも外周側には、吸込口から吸い込まれて熱交換器１２を通過した空気を室内に吹き出す４つの吹出口が形成されている。
【００１４】
図２は、図１のＡ部を外側から見たときの筐体２０の構成を示す斜視図である。図２並びに後述する図３及び図４の上下方向は、実際に取り付けられた後の天井埋込形空気調和機１の上下方向とは逆になっている。図２に示すように、筐体２０には、複数の側板のうち互いに隣接する２つの側板３０、４０の端部３１、４１同士が重ねられた重ね部２１が形成されている。側板３０のうち重ね部２１に隣接する部分には、重ね部２１における側板３０の端部３１が側板４０の板厚寸法分だけ筐体２０の内周側にずれるように段曲げ（Ｚ曲げ）された段曲げ部３３が形成されている。重ね部２１では、側板３０の端部３１の外側表面と、側板４０の端部４１の内側表面と、が互いに当接している。側板３０の端部３１と側板４０の端部４１とは、ねじ等の締結部材を用いて互いに締結されていてもよい。
【００１５】
側板３０、４０には、筐体２０の外周形状に応じて折り曲げられた複数のコーナ部が形成されている。図２では、側板４０に形成された１つのコーナ部２２のみを示している。重ね部２１は、コーナ部２２からずれた平面部分に設けられている。
【００１６】
側板３０、４０には、カットアウト穴部３２、４２がそれぞれ設けられている。カットアウト穴部３２、４２は、ダクトの接続又はオプションパーツの取付け等のために、必要に応じて切り抜かれて貫通孔となるものである。カットアウト穴部３２は、側板３０のうち重ね部２１となる部分以外の部分に設けられている。カットアウト穴部４２は、側板４０のうち重ね部２１となる部分以外の部分に設けられている。
【００１７】
図３は、本実施の形態の比較例として、段曲げ部３３が設けられていない筐体２０の構成を示す斜視図である。図３に示す筐体２０の構成では、側板３０の端部３１における先端面３１ａが筐体２０のコーナ部２２に配置されている。このような構成の場合、天井埋込形空気調和機１の製造時又は設置時において、作業者の手が先端面３１ａに引っかかってしまう場合があった。
【００１８】
これに対し、本実施の形態の構成では、段曲げ部３３が設けられるとともに、重ね部２１がコーナ部２２からずれた平面部分に設けられている。したがって、天井埋込形空気調和機１の製造時又は設置時において、作業者の手が側板３０の先端面に引っかかってしまうのを防ぐことができる。
【００１９】
図４は、図１のＡ部を内側から見たときの筐体２０の構成を示す斜視図である。図４に示すように、天板５０は、筐体２０の天面に配置される平板状の天面部５１と、天面部５１の周縁に形成された周縁壁５２と、を有している。周縁壁５２は、絞り加工によって形成され、天面部５１に対して垂直に立ち上げられた壁状の形状を有している。周縁壁５２の少なくとも一部は、側板３０、４０の内周側に嵌め込まれている。周縁壁５２は、側板３０及び側板４０の少なくとも一方に対して、ねじ２３等の締結部材を用いて締結されている。本例では、周縁壁５２と側板４０とが１箇所のねじ止めによって締結されている。
【００２０】
図５は、側板３０、４０及び周縁壁５２の形状及びそれぞれの位置関係を示す断面図である。図５では、天板５０の天面部５１に平行な平面で筐体２０を切断した断面を示している。図５に示すように、側板３０が段曲げ部３３で段曲げされていることから、側板３０は、重ね部２１及び段曲げ部３３において、側板４０の板厚寸法ｔ分だけ内周側に突出している。すなわち、側板３０、４０には、重ね部２１及び段曲げ部３３において、板厚寸法ｔ分だけ内周側に突出した凸部が形成されている。一方、周縁壁５２のうち重ね部２１及び段曲げ部３３の内周側に位置する部分には、例えば側板４０の板厚寸法ｔ以上の深さ寸法Ｘ２で筐体２０の内周側に凹んだ凹部５３が形成されている。凹部５３は、端部３１に平行で平坦な底面５３ａを有している。側板３０、４０に形成されている凸部（例えば、端部３１）は、凹部５３内に収容されている。
【００２１】
本例では、段曲げ部３３の段曲げ高さ寸法Ｘ１は、側板４０の板厚寸法ｔと実質的に同一である（Ｘ１＝ｔ）。また、側板３０の板厚寸法が側板４０の板厚寸法ｔと同一である場合、段曲げ高さ寸法Ｘ１は、側板３０の板厚寸法とも実質的に同一である。凹部５３の深さ寸法Ｘ２は、板厚寸法ｔと同一又はそれより大きくなっている（Ｘ２≧ｔ）。深さ寸法Ｘ２が板厚寸法ｔと同一である場合、凹部５３の底面５３ａ（すなわち、周縁壁５２のうち重ね部２１及び段曲げ部３３の内周側に位置する部分の外側表面）は、側板３０の端部３１の内側表面３１ｂと当接する。深さ寸法Ｘ２が板厚寸法ｔよりも大きい場合には、底面５３ａは、隙間を介して内側表面３１ｂと対向する。
【００２２】
本例では、段曲げ部３３の段曲げ高さ寸法Ｘ１と側板４０の板厚寸法ｔとが実質的に同一であるため、側板３０の外側表面３０ａと側板４０の端部４１の外側表面４１ａとは、同一平面上に配置されている。すなわち、側板３０と側板４０との外周側の合わせ目には、段差が形成されていない。側板３０及び側板４０の外周側には、断熱材６０が貼り付けられている。断熱材６０は、少なくとも側板３０（例えば、外側表面３０ａ）の外周側及び側板４０（例えば、外側表面４１ａ）の外周側の双方に跨がって平坦な平板状の形状となるように設けられている。
【００２３】
以上説明したように、本実施の形態に係る天井埋込形空気調和機１は、天板５０と複数の側板３０、４０とを有する筐体２０と、筐体２０に収容されたターボファン１０及び熱交換器１２と、を備えている。筐体２０には、複数の側板３０、４０のうち互いに隣接する２つの側板３０、４０の端部３１、４１同士が重ねられた重ね部２１が形成されている。２つの側板３０、４０のうちの一方の側板３０には、重ね部２１における一方の側板３０の端部３１が２つの側板３０、４０のうちの他方の側板４０の板厚寸法ｔ分だけ筐体２０の内周側にずれるように段曲げされた段曲げ部３３が形成されている。天板５０は、天面部５１と、天面部５１の周縁に形成され複数の側板３０、４０の内周側に嵌め込まれる周縁壁５２と、を有している。周縁壁５２のうち重ね部２１及び段曲げ部３３の内周側に位置する部分には、筐体２０の内周側に凹んだ凹部５３が形成されている。
【００２４】
この構成によれば、天板５０の周縁壁５２には、重ね部２１及び段曲げ部３３の位置に対応して凹部５３が形成される。このため、側板３０、４０の内周側に周縁壁５２が嵌め込まれた際には、重ね部２１及び段曲げ部３３において側板３０、４０の内周側に形成される凸部を凹部５３内に収容することができる。したがって、重ね部２１において側板３０、４０が外周側に膨らむのを防ぐことができる。これにより、天井埋込形空気調和機１の組立て後の寸法精度を高めることができるため、側板に取り付けられる留め金の位置が定まらないといった問題を回避することができる。
【００２５】
また、本実施の形態に係る天井埋込形空気調和機１において、凹部５３の深さ寸法Ｘ２は、他方の側板４０の板厚寸法ｔ以上であってもよい。この構成によれば、重ね部２１において側板３０、４０が外周側に膨らむのをより確実に防ぐことができる。
【００２６】
また、本実施の形態に係る天井埋込形空気調和機１において、一方の側板３０の外側表面３０ａと他方の側板４０の外側表面４１ａとは、同一平面上に配置されていてもよい。この構成によれば、天井埋込形空気調和機１の製造時又は設置時において、作業者の手が側板３０又は側板４０の先端面に引っかかってしまうのを防ぐことができる。
【００２７】
また、本実施の形態に係る天井埋込形空気調和機１において、複数の側板３０、４０の外周側に設けられた断熱材６０をさらに備えていてもよい。断熱材６０は、少なくとも一方の側板３０の外周側及び他方の側板４０の外周側に跨がって平坦な形状となるように設けられていてもよい。
【符号の説明】
【００２８】
１  天井埋込形空気調和機、１０  ターボファン、１１  ファンモータ、１２  熱交換器、１３  ドレンポンプ、１４  ドレン排水口、１５  冷媒配管、１６  電装品箱、２０  筐体、２１  重ね部、２２  コーナ部、２３  ねじ、３０、４０  側板、３０ａ、４１ａ  外側表面、３１、４１  端部、３１ａ  先端面、３１ｂ  内側表面、３２、４２  カットアウト穴部、３３  段曲げ部、５０  天板、５１  天面部、５２  周縁壁、５３  凹部、５３ａ  底面、６０  断熱材、ｔ  板厚寸法、Ｘ１  段曲げ高さ寸法、Ｘ２  深さ寸法。
【図１】
2017179141.tif 000003
【図２】
2017179141.tif 000004
【図３】
2017179141.tif 000005
【図４】
2017179141.tif 000006
【図５】
2017179141.tif 000007
【国際調査報告】
2017179141.tif 000008
2017179141.tif 000009